(57)【要約】  本発明は、冷却するための少なくとも１つの場所に冷却空気流を供給する装置に関する。本発明はまた、そのような装置を用いて、冷却するための少なくとも１つのこの場所に冷却空気流を供給することに関する。【選択図】図２
2013504030.tif 000002
【特許請求の範囲】
【請求項１】
冷却するための少なくとも１つの場所に冷却空気流を供給する装置であって、
冷却空気流を生成する冷却ユニットと、
前記冷却ユニットからの前記冷却空気流を前記冷却するための少なくとも１つの場所に案内する案内ダクトと、
を備え、
前記案内ダクトの実質的に壁全体は前記冷却空気流の空気を通すことができ、
前記案内ダクトの前記壁の流出部は第１の通気性を有し、
前記壁の案内部は第２の通気性を有し、
前記壁の前記流出部は、前記冷却するための少なくとも１つの場所の近くに配置することができ、
前記壁の前記流出部の前記通気性は、前記壁の前記案内部の前記通気性よりも高い、装置。
【請求項２】
前記案内ダクトの前記壁の前記流出部は、前記冷却するための少なくとも１つの場所の上に配置することができる、請求項１に記載の装置。
【請求項３】
前記冷却空気流の温度は周囲空気の温度よりも少なくとも２℃低い、請求項１又は２に記載の装置。
【請求項４】
前記案内ダクトの前記壁の前記流出部は、前記冷却するための少なくとも１つの場所から好ましくは１００ｃｍ〜３００ｃｍ上、より好ましくは１５０ｃｍ〜２５０ｃｍ上、更により好ましくは、ほぼ２００ｃｍ上の距離に配置することができる、請求項２又は３に記載の装置。
【請求項５】
前記装置は、フレームであって、該フレームを用いて、前記冷却するための少なくとも１つの場所の上に前記案内ダクトの前記壁の前記流出部を配置することができる、フレームも備える、請求項２〜４のいずれか一項に記載の装置。
【請求項６】
前記案内ダクトは、該案内ダクトと前記フレームとの間に延びる取付部によって前記フレームに懸架される、請求項５に記載の装置。
【請求項７】
前記取付部は、前記フレームの方向に好ましくは少なくとも１０ｃｍ、より好ましくは少なくとも２０ｃｍ、更により好ましくは少なくとも３０ｃｍの距離にわたって前記案内ダクトの前記壁から延びる実質的に気密な部分を有する、請求項６に記載の装置。
【請求項８】
前記冷却ユニットは、冷却するための空気流を引き込む吸込口金を備え、該吸込口金は前記案内ダクトの前記壁の前記流出部の下に配置することができる、請求項１〜７のいずれか一項に記載の装置。
【請求項９】
前記案内ダクトの前記壁はテキスタイルを有する、請求項１〜８のいずれか一項に記載の装置。
【請求項１０】
前記案内ダクトの前記壁の前記流出部からの前記冷却空気流の空気の流出速度は、好ましくは０．０４ｍ／秒〜０．１２ｍ／秒、より好ましくは０．０６ｍ／秒〜０．１０ｍ／秒、更により好ましくは、ほぼ０．０８ｍ／秒である、請求項１〜９のいずれか一項に記載の装置。
【請求項１１】
前記壁の前記流出部の前記通気性は、１２０Ｐａの静圧で、好ましくは２００ｍ３／ｍ２／時〜１４００ｍ３／ｍ２／時、より好ましくは４００ｍ３／ｍ２／時〜１２００ｍ３／ｍ２／時、更により好ましくは６００ｍ３／ｍ２／時〜１０００ｍ３／ｍ２／時である、請求項１〜１０のいずれか一項に記載の装置。
【請求項１２】
前記壁の前記案内部の前記通気性は、１２０Ｐａの静圧で、好ましくは１０ｍ３／ｍ２／時〜８０ｍ３／ｍ２／時、より好ましくは１５ｍ３／ｍ２／時〜７０ｍ３／ｍ２／時、更により好ましくは２０ｍ３／ｍ２／時〜６０ｍ３／ｍ２／時である、請求項１〜１１のいずれか一項に記載の装置。
【請求項１３】
請求項１〜１２のいずれか一項に記載の装置を用いて、少なくとも１つの場所に空気流を供給する方法。
【請求項１４】
前記冷却するための少なくとも１つの場所の上に前記通気性の案内ダクトの前記壁の前記流出部を配置するステップを含む、請求項１３に記載の方法。
【発明の詳細な説明】
【技術分野】
【０００１】
本発明は、冷却するための少なくとも１つの場所に冷却空気流を供給する装置に関する。本発明は、また、そのような装置を用いて、冷却するための少なくとも１つの場所に冷却空気流を供給することに関する。
【背景技術】
【０００２】
温暖気候地域では、人々が時間を過ごすスペースには、そのスペース内にいる人々による要求に応じてスペース内の空気を調整、一般的には冷却することができる空調設備が整っていることが通常である。上記スペース内の空気のこの冷却には相当なエネルギー消費が伴う。
【発明の概要】
【発明が解決しようとする課題】
【０００３】
したがって、快適性を高めるとともにエネルギーが効率的でもある装置が必要とされている。
【課題を解決するための手段】
【０００４】
本発明による装置は、
冷却空気流を生成する冷却ユニットと、
前記冷却ユニットからの前記冷却空気流を冷却するための少なくとも１つの場所に案内する案内ダクトと、
を備え、
前記案内ダクトの実質的に壁全体は前記冷却空気流の空気を通すことができ、
前記案内ダクトの前記壁の流出部は第１の通気性を有し、
前記壁の案内部は第２の通気性を有し、
前記壁の前記流出部は、前記冷却するための少なくとも１つの場所の近くに配置することができ、
前記壁の前記流出部の前記通気性は、前記壁の前記案内部の前記通気性よりも高い。
【０００５】
この装置は、或るスペース内、例えば寝室又は仕事場内の冷却するための或る特定の場所の近くに案内ダクトの壁の流出部を配置することによって、この特定の場所に冷却空気流を集中させることを可能にする。これにより、本発明による装置が、特定の場所に集中させることができない供給空気流を用いる装置に比してエネルギーが効率的となる。案内ダクトの壁の流出部だけでなく実質的に壁全体がさらに冷却空気流の空気を通すことができるため、この場合では、案内ダクトの壁の結露等、案内ダクトを通して冷却空気流を案内することの望ましくない影響を回避することが可能である。そのような結露は例えば、壁からベッド、仕事場又は、さらには、そこを使用している人々に結露が滴る場合に快適性を下げる可能性がある。そのような結露は空気湿度が比較的高い地域において特に問題である。
【０００６】
本発明による装置の好適な実施の形態では、案内ダクトの壁の流出部は、冷却するための少なくとも１つの場所の上に配置することができる。この措置により、重力を用いて、上記冷却するための場所及び該場所を使用している人々に対して、比較的低温の空気を下方に移動させることが可能となる。これは、案内ダクトの壁の流出部からの空気流の冷却空気の流出速度がより低くなり、それによって、空気流が案内ダクトの壁を通る際に該空気流によって生じるノイズ、ひいてはノイズが引き起こす不快感が減り、その一方で、人々は下降する涼気の快適性を更に受けるという利点を有する。
【０００７】
本発明による装置の更に有利な実施の形態では、冷却空気流の温度は周囲空気の温度よりも少なくとも２℃低い。周囲空気の温度に対して少なくとも２℃低い冷却空気流の温度により、冷却するための場所に冷却空気が重力によって下方に移動することが確実となり、その場合、その場所を使用している人々がドラフトなしに心地のよい冷却を受ける。
【０００８】
装置の更に好適な実施の形態では、案内ダクトの壁の流出部は、冷却するための少なくとも１つの場所の上に配置することができ、案内ダクトの壁の流出部は、冷却するための少なくとも１つの場所から好ましくは１００ｃｍ〜３００ｃｍ上、より好ましくは１５０ｃｍ〜２５０ｃｍ上、更に、より好ましくは、ほぼ２００ｃｍ上の距離に配置することができる。例えば１００ｃｍ、１２５ｃｍ、１５０ｃｍ、１７５ｃｍ、２００ｃｍ、２２５ｃｍ、２５０ｃｍ、２７５ｃｍ、３００ｃｍの、この距離が、冷却するための場所にわたる冷却空気流の良好な分布を可能にすることが分かっており、その一方で、その高さに関して、装置は既存のスペース内への配置にも適している。
【０００９】
本発明による装置の更なる実施の形態では、案内ダクトの壁の流出部は冷却するための少なくとも１つの場所の上に配置することができ、装置は、フレームであって、該フレームを用いて、冷却するための少なくとも１つの場所の上に案内ダクトの壁の流出部を配置することができるフレームも備える。この措置により、例えば冷却するための所望の場所の上に装置を簡単に配置することが可能となる。したがって、装置は、例えば、既存のスペース内の特定の場所に冷却空気を供給するために、このスペース内に容易に配置することができる変位可能なユニットとして具現することができる。
【００１０】
本発明の好適な実施の形態では、案内ダクトは、該案内ダクトとフレームとの間に延びる取付部（mounting）によってフレームに懸架される。この措置により、例えば案内ダクトをフレームから物理的に分離し、したがって比較的低温の空気流が供給されるときに案内ダクトのフレーム又は壁の結露を回避することが可能となる。更なる実施の形態では、取付部は、案内ダクトの壁から好ましくは少なくとも１０ｃｍ、より好ましくは少なくとも２０ｃｍ、更により好ましくは少なくとも３０ｃｍの距離にわたってフレームの方向に延びる実質的に気密な部分を有する。この措置により、例えば、冷却するための或る場所に比較的低温の空気流が供給されるときに、案内ダクトの流出部の上に存在する暖気が空気流に混入することを回避することが可能となる。これによって装置の効率を更に改善することができ、このため、装置がよりエネルギー効率的となる。
【００１１】
本発明による装置の更に好適な実施の形態では、前記冷却ユニットは、冷却するための空気流を引き込む吸込口金（suction mouthpiece）を備え、該吸込口金は前記案内ダクトの前記壁の前記流出部の下に配置することができる。この措置により、冷却するための場所に供給される冷却空気流の冷却ユニットにおいて少なくとも部分的な再冷却が可能となる。冷却するための場所の上に配置された案内ダクトの壁の流出部から流出した冷却空気は、重力の影響下で下方に移動し、次いで、流出部の下の冷却ユニットによって再び引き込まれる。冷却空気は再び引き込まれる前に或る程度まで暖まることになるが、この空気の温度は周囲空気よりも低温であり、それによって、追加冷却というほんの僅かな措置が必要なだけであり、このため、装置がよりエネルギー効率的となる。
【００１２】
本発明による装置の更なる好適な実施の形態では、案内ダクトの壁はテキスタイルを有する。この措置により、空気流が案内ダクトからほぼ無音で出ることが可能であり、これによってその場所を使用している人々の快適性を維持する。
【００１３】
本発明による装置の更に好適な実施の形態では、前記案内ダクトの前記壁の前記流出部からの前記冷却空気流の空気の流出速度は、好ましくは０．０４ｍ／秒〜０．１２ｍ／秒、より好ましくは０．０６ｍ／秒〜０．１０ｍ／秒、更により好ましくはほぼ０．０８ｍ／秒である。例えば０．０４ｍ／秒、０．０５ｍ／秒、０．０６ｍ／秒、０．０７ｍ／秒、０．０８ｍ／秒、０．０９ｍ／秒、０．１０ｍ／秒、０．１１ｍ／秒及び０．１２ｍ／秒のこれらの流出速度は、重力によって冷却空気に加えられる加速と一緒に、空気流が冷却するための場所を使用している人に達するとこの空気流の速度が非常に低くなるため、この場合では空気流がドラフトとして知覚されずにこの人が快適性の高い冷却を受けることが確実となる。
【００１４】
本発明による装置の更に好適な実施の形態では、前記壁の前記流出部の前記通気性は、１２０Ｐａの静圧で好ましくは２００ｍ３／ｍ２／時〜１４００ｍ３／ｍ２／時、より好ましくは４００ｍ３／ｍ２／時〜１２００ｍ３／ｍ２／時、更により好ましくは６００ｍ３／ｍ２／時〜１０００ｍ３／ｍ２／時である。１２０Ｐａの静圧で例えば２００ｍ３／ｍ２／時、３００ｍ３／ｍ２／時、４００ｍ３／ｍ２／時、５００ｍ３／ｍ２／時、６００ｍ３／ｍ２／時、７００ｍ３／ｍ２／時、８００ｍ３／ｍ２／時、９００ｍ３／ｍ２／時、１０００ｍ３／ｍ２／時、１１００ｍ３／ｍ２／時、１２００ｍ３／ｍ２／時、１３００ｍ３／ｍ２／時、１４４０ｍ３／ｍ２／時の、案内ダクトの壁の流出部のこの通気性が、快適性を高める装置を実現するのに、特に、案内ダクトの流出部から流出する空気流の空気の上述した流出速度を実現するのに非常に適していることが分かっている。
【００１５】
本発明による装置の更に好適な実施の形態では、前記壁の残りの前記通気性は、１２０Ｐａの静圧で好ましくは１０ｍ３／ｍ２／時〜８０ｍ３／ｍ２／時、より好ましくは１５ｍ３／ｍ２／時〜７０ｍ３／ｍ２／時、更により好ましくは２０ｍ３／ｍ２／時〜６０ｍ３／ｍ２／時である。１２０Ｐａの静圧で例えば１０ｍ３／ｍ２／時、１５ｍ３／ｍ２／時、２０ｍ３／ｍ２／時、２５ｍ３／ｍ２／時、３０ｍ３／ｍ２／時、３５ｍ３／ｍ２／時、４０ｍ３／ｍ２／時、４５ｍ３／ｍ２／時、５０ｍ３／ｍ２／時、５５ｍ３／ｍ２／時、６０ｍ３／ｍ２／時、６５ｍ３／ｍ２／時、７０ｍ３／ｍ２／時の、案内ダクトの壁の残りのこの通気性が、案内ダクトの壁の結露を効果的に回避するのに非常に適していることが分かっている。
【００１６】
本発明はまた、上述の装置を用いて、冷却するための少なくとも１つの場所に冷却空気流を供給する方法に関する。
【００１７】
本発明による方法の好適な実施の形態は、前記少なくとも１つの場所の上に前記通気性の案内ダクトの前記壁の前記流出部を配置するステップを含む。
【００１８】
本発明を、添付の図面に示される例示的な実施形態に基づき以下で更に説明する。これらは非限定的である例示的な実施形態である。
【図面の簡単な説明】
【００１９】
【図１】本発明による装置の一実施形態の斜視図である。
【図２】図１の装置の代替的な実施形態の斜視図である。
【図３】冷却するための仕事場に冷却空気流を供給する、図２の装置の用途の斜視図である。
【図４】本発明による装置の一実施形態の動作の概略図である。
【図５ａ】図４の装置の案内ダクトの一実施形態の概略断面図である。
【図５ｂ】図４の装置の案内ダクトの一実施形態の概略断面図である。
【図６ａ】図５ａの案内ダクトの代替的な実施形態の概略断面図である。
【図６ｂ】図５ｂの案内ダクトの代替的な実施形態の概略断面図である。
【発明を実施するための形態】
【００２０】
図１は、冷却するための場所２に空気流を供給する装置１を示す。装置１には、冷却するための場所２の地面４上に支持される冷却ユニット３が示されている。冷却ユニット３は吸込口金５及び排出口金（outlet mouthpiece）６を有する。冷却ユニット３は、吸込口金５を介して、冷却するための場所２から矢印Ｄの方向に空気を引き込む。引き込まれた空気は次いで、冷却ユニット３によって冷却され、冷却空気流として排出口金６を介して案内ダクト７に吹き出される。案内ダクト７は、冷却するための場所２に冷却空気流を案内する。案内ダクト７の壁８全体が空気流の冷却空気を通すことができるため、冷却するための場所２に向けて案内される冷却空気流からの冷却空気が案内ダクト７の壁８全体の実質的にどこからでも流出する。冷却するための場所２の上に配置される案内ダクト７の壁８の流出部８ａは第１の通気性を有する。案内ダクト７の壁８の案内部８ｂは第２の通気性を有する。案内ダクト７の壁８の流出部８ａの通気性は案内ダクト７の壁８の案内部８ｂの通気性よりも高いため、冷却空気流からの冷却空気は主として壁８の案内部８ｂに沿って案内され、冷却空気流の冷却空気は主として壁８の流出部８ａで流出する。壁８の流出部８ａから流出する冷却空気は、冷却するための場所２に、流出速度に起因して、かつ重力の影響下で矢印Ｃの方向に下方へ移動する。装置１のこの動作は、図４を参照しながら以下で更に説明する。
【００２１】
図１はまた、冷却するための場所２の上に案内ダクト７の壁８の流出部８ａがフレーム９によって配置されていることを示し、この図では案内ダクト７は該案内ダクト７とフレーム９との間に延びている取付部１０によってフレーム９に懸架されている。案内ダクト７の壁８は例えばテキスタイルを有する。ウェブ（web）１０も例えば、該ウェブ（web）１０及び案内ダクト７が例えば一体的に全体を形成しているように見えるようなテキスタイルを有する。所望であれば、冷却するための別の場所の上に流出部８ａを配置するために簡単なやり方で地面４の上で装置１を変位させることができる。
【００２２】
図２は、図１の装置１の代替的な実施形態を示す。この装置１１も同様に、流出部８ａ及び案内部８ｂを有する壁８を備えた案内ダクト７に冷却空気流の形態で冷却空気を吹き出す冷却ユニット３を備えて示されている。この装置１１では、案内ダクト７の壁８の流出部８ａは同様に、冷却するための場所２の上にフレーム９によって配置されており、案内ダクト７は、該案内ダクト７とフレーム９との間に延びている取付部１０によってフレーム９に懸架されている。しかしながら、図２に示す装置１１では、フレーム９は弧を形成しているため、案内ダクト７も同様に弧状である。図３は図２の装置１１を示しており、この図では、案内ダクト７の壁８の流出部８ａはオフィス用椅子１２の上に配置されているため、壁８の流出部８ａから流出する冷却空気がデスク用椅子１２に対して矢印Ｃの方向に下方に移動する。
【００２３】
図１〜図３の装置１及び１１を含めた本発明による装置の動作原理を、図４に概略的に示す装置１３に基づき以下で更に説明する。
【００２４】
装置１３が冷却ユニット３を備えて示されている。冷却ユニット３は吸込口金５及び排出口金６を有する。冷却ユニット３は吸込口金５を介して矢印Ｄの方向に空気を引き込む。引き込まれた空気は次いで冷却ユニット３によって冷却され、冷却空気流として排出口金６を介して矢印Ｅの方向に案内ダクト７に吹き出される。この例示的な実施形態では、案内ダクト７は、冷却するための２つの場所２ａ及び２ｂに冷却空気流を案内する。案内ダクト７の壁８全体が空気流の冷却空気を通すことができるため、ジグザグ矢印Ｆ及びＧとして示される空気流によって示されるように、冷却するための場所２に案内される冷却空気流の冷却空気は案内ダクト７の壁８の実質的にどこからでも流出する。冷却するための各場所２ａ及び２ｂの上に配置される案内ダクト７の壁８の流出部８ａは第１の通気性を有する。案内ダクト７の壁８の案内部８ｂは第２の通気性を有する。案内ダクト７の壁８の流出部８ａの通気性は、案内ダクト７の壁８の案内部８ｂの通気性よりも高いため、冷却空気流の冷却空気は主として壁８の案内部８ｂに沿って案内され、それによって壁８の案内部８ｂからは冷却空気流からの比較的僅かな空気しか流出せず（比較的短いジグザグ矢印Ｆで示す）、冷却空気流の冷却空気は主として、冷却するための場所２ａ及び２ｂの上に配置される壁８の流出部８ａで流出する（比較的長いジグザグ矢印Ｇで示す）。実質的に壁８全体が、案内ダクト７に吹き出される冷却空気流の冷却空気を通すことができるため、案内ダクト７の壁８の近傍１４内の比較的暖かな空気は、この比較的暖かな周囲空気が案内ダクト７の壁８に対して結露することができないように或る距離のところに保たれる。
【００２５】
壁８の流出部８ａから流出する冷却空気は、冷却するための場所２ａ及び２ｂに、流出速度に起因して、かつ重力の影響下で矢印Ｃの方向に下方に移動し、ハッチングＨで示されるように地面１５に蓄積する。冷却ユニット３の吸込口金５が壁８の流出部８ａの下に、又はこの流出部８ａから流出する（ジグザグ矢印Ｇ）冷却空気に対して下流に配置されるため、蓄積しておりこの時点までに或る程度まで暖まっている空気が、吸込口金５を介して矢印Ｄの方向に冷却ユニット３によって再び引き込まれて再冷却される。
【００２６】
図４に示すように、流出部８ａは、冷却するための場所２ａ及び２ｂの地面から上の距離Ｉに配置される。
【００２７】
図４は、装置１３が、冷却するための２つの場所に冷却空気を供給することを示す。代替的に、本発明による装置は、冷却するための１つ又は２つ以上の場所に冷却空気を供給することができる。
【００２８】
図５ａ及び図５ｂは、図４の装置１３の案内ダクト７の一実施形態の概略断面図を示す。図５ａは、図４の案内ダクト７のセクションＡの位置での断面を示す。図５ｂは、図４の案内ダクト７のセクションＢの位置での断面を示す。図５ａ及び図５ｂは、案内ダクト７が該案内ダクト７とフレーム９との間に延びている取付部１０によってフレーム９に懸架されていることを示す。取付部１０は、案内ダクト７の壁８からフレーム９の方向に距離Ｊを延びている実質的に気密な部分１０ａを有する。図５ａは、セクションＡの位置では、案内ダクト７の壁８が、壁８の案内部８ｂによって全体的に形成されているため、セクションＡでは冷却空気流の比較的僅かな空気しか壁８の案内部８ｂを通って流出しない（比較的短いジグザグ矢印Ｆで示されている）ことを示す。図５ｂは、案内ダクト７のセクションＢの位置では、壁８の上部が壁８の案内部８ｂによって形成されているのに対し、壁８の下部は案内ダクト７の壁８の流出部８ａによって形成されているため、冷却空気流からの比較的僅かな空気しか壁８の上部から壁８の案内部８ｂを通って流出せず（比較的短いジグザグ矢印Ｆで示される）、冷却空気流の比較的多量の空気が壁８の下部から壁８の案内部８ａを通って流出する（比較的長いジグザグ矢印Ｇで示される）。図５ａ及び図５ｂはまた、取付部１０の実質的に気密な部分１０ａが、近傍１４からの比較的暖かな空気が矢印Ｋの方向に壁８の流出部８ａから流出する冷却空気に混入することを回避していることを示す。図５ｂはまた、流出部８ａから流出する（比較的長いジグザグ矢印Ｇで示される）冷却空気の一部が重力の影響下で偏向することを示す。
【００２９】
図６ａ及び図６ｂは、図５ａ及び図５ｂの案内ダクトの代替的な実施形態の概略断面図を示す。この代替的な実施形態では、案内ダクトの断面は、図５ａ及び図５ｂに示されているような実施形態におけるような円形の形態の代わりに半円形の形態を有する。
【００３０】
図５ａ、図５ｂ、図６ａ及び図６ｂの案内ダクト７の断面は、正方形、矩形、三角形等のような異なる形態をとることもできる。
【００３１】
図５ａ、図５ｂ、図６ａ及び図６ｂの取付部１０の気密な部分は、壁８からフレーム９の方向に距離Ｊの一部だけにわたって延びることもできる。
【図１】
2013504030.tif 000003
【図２】
2013504030.tif 000004
【図３】
2013504030.tif 000005
【図４】
2013504030.tif 000006
【図５Ａ】
2013504030.tif 000007
【図５Ｂ】
2013504030.tif 000008
【図６Ａ】
2013504030.tif 000009
【図６Ｂ】
2013504030.tif 000010
【国際調査報告】
2013504030.tif 000011
2013504030.tif 000012
2013504030.tif 000013